【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
データ・リポジトリに格納された非ストリーミング・デジタル・コンテンツを処理するために処理ノードにおいて実装される方法であって、前記デジタル・コンテンツが、コンテナ・ファイル・フォーマットに従うコンテナ・ファイルに配置され、前記コンテナ・ファイルはコンテンツ要素と、前記コンテンツ要素に対する読取りアクセスのために必要な前記コンテナ・ファイル内に割り当てられた１つ又は複数のインデックス・テーブルおよび／またはヘッダ情報を含む内部ファイル管理情報とを備え、前記方法が、
前記デジタル・コンテンツのサイズを有するプレースホルダ・ファイルを前記処理ノードの関連付けられた記憶システムに生成するステップと、
前記内部ファイル管理情報を前記データ・リポジトリから受信するステップと、
受信された前記内部ファイル管理情報を、元の前記コンテナ・ファイルにおけるそれらの位置に対応する前記プレースホルダ・ファイル内の位置に格納するステップと、
前記デジタル・コンテンツのコンテンツ要素を前記データ・リポジトリから受信するステップと、
受信した前記コンテンツ要素を、元の前記コンテナ・ファイルにおけるそれらの位置に対応する前記プレースホルダ・ファイル内の位置に格納するステップと、
前記デジタル・コンテンツの残りのコンテンツ要素の受信中に、前記処理ノードの前記関連付けられた記憶システムから、格納したコンテンツ要素を読み込み、かつ処理するステップと、
を含む、前記方法。
【請求項２】
前記デジタル・コンテンツのどのコンテンツ要素が前記記憶システムで利用可能であるかに関する情報を管理ファイル、システム・メモリ、または他の記憶域に格納するステップをさらに含む、請求項１に記載の方法。
【請求項３】
特定の処理タスクに必要な前記デジタル・コンテンツの全てのコンテンツ要素が、前記処理ノードの前記記憶システムから前記コンテンツ要素の読み込みを開始する前に前記記憶システムで利用可能であるかどうかをチェックするステップをさらに含む、請求項１又は２に記載の方法。
【請求項４】
前記コンテンツ要素がデジタル画像シーケンスのフレームである、請求項１から３のいずれかに記載の方法。
【請求項５】
前記コンテナ・ファイルが、ＭＸＦファイル、ＡＶＩファイル、およびＭＯＶファイルのうちの１つである、請求項１から４のいずれかに記載の方法。
【請求項６】
データ・リポジトリに格納された非ストリーミング・デジタル・コンテンツを処理するための装置であって、前記デジタル・コンテンツが、コンテナ・ファイル・フォーマットに従うコンテナ・ファイルに配置され、前記コンテナ・ファイルはコンテンツ要素と、前記コンテンツ要素に対する読取りアクセスのために必要な前記コンテナ・ファイル内に割り当てられた１つ又は複数のインデックス・テーブルおよび／またはヘッダ情報を含む内部ファイル管理情報とを備え、前記装置が、
関連付けられた記憶システムと、
前記内部ファイル管理情報および前記デジタル・コンテンツの前記コンテンツ要素を前記データ・リポジトリから受信するように構成された入力端子と、
前記デジタル・コンテンツのサイズを有するプレースホルダ・ファイルを前記記憶システムに生成し、受信した前記内部ファイル管理情報を、元の前記コンテナ・ファイルにおけるそれらの位置に対応する前記プレースホルダ・ファイル内の位置に格納し、受信した前記コンテンツ要素を、元の前記コンテナ・ファイルにおけるそれらの位置に対応する前記プレースホルダ・ファイル内の位置に格納するように構成された書込みエンジンと、
前記デジタル・コンテンツの残りのコンテンツ要素の受信中に、前記関連付けられた記憶システムから読み込んだ、格納されたコンテンツ要素を処理するように構成されたプロセッサと、
を備える、前記装置。
【請求項７】
前記デジタル・コンテンツのどのコンテンツ要素が既に前記記憶システム上で利用可能であるかを追跡し、前記デジタル・コンテンツのどのコンテンツ要素が既に前記記憶システム上で利用可能であるかに関する情報を管理ファイル、システム・メモリ、および他の記憶域の少なくとも１つに格納するように構成されたコンテンツ追跡器をさらに備える、請求項６に記載の装置。
【請求項８】
前記コンテンツ要素がデジタル画像シーケンスのフレームである、請求項６又は７に記載の装置。
【請求項９】
前記コンテナ・ファイルが、ＭＸＦファイル、ＡＶＩファイル、およびＭＯＶファイルのうちの１つである、請求項６から８のいずれかに記載の装置。
【手続補正２】
【補正対象書類名】明細書
【補正対象項目名】００２３
【補正方法】変更
【補正の内容】
【００２３】
図６に、デジタル・コンテンツをローカルまたはネットワークの記憶システム３に書き込むための装置３０を概略的に示す。装置３０は書込みエンジン３１を備える。書込みエンジン３１は、インタフェース３２を介してプレースホルダ・ファイルを記憶システム３に生成し、当該プレースホルダ・ファイルを、データ・リポジトリ１から入力３３を介して取り出した、内部ファイル管理情報７、８およびデジタル・コンテンツの要素で埋めるためのものである。書込みエンジン３１は、デジタル・コンテンツを処理するためのシステムの送信側または受信側の何れかに配置される。書込みエンジンが局所的に動作する場合、送信側と受信側は同一である。書込みエンジン３１が受信側に配置される場合、書込みエンジン３１はまた、デジタル・コンテンツのどの要素が既に記憶システム３上で利用可能であるかを追跡するためのコンテンツ追跡器３４を備えることが好ましい。
［付記１］
データ・リポジトリに格納されたデジタル・コンテンツを、関連する記憶システムを伴う１つまたは複数の処理ノードを用いて処理するための方法であって、前記デジタル・コンテンツが、コンテナ・ファイル・フォーマットに従う内部ファイル管理情報を備えるコンテナ・ファイルに配置され、前記方法が、
前記デジタル・コンテンツのサイズのプレースホルダ・ファイルを前記記憶システムに生成するステップと、
前記内部ファイル管理情報を前記データ・リポジトリから前記記憶システムに送信するステップと、
送信された前記内部ファイル管理情報を、前記コンテナ・ファイル・フォーマットで指定された前記プレースホルダ・ファイル内部の位置に格納するステップと、
前記デジタル・コンテンツのコンテンツ要素を前記データ・リポジトリから前記記憶システムに送信するステップと、
送信された前記コンテンツ要素を前記プレースホルダ・ファイル内部の夫々の指定位置に格納するステップと、
格納した前記コンテンツ要素を前記１つまたは複数の処理ノードで処理するステップと、
を含む、方法。
［付記２］
前記デジタル・コンテンツのどのコンテンツ要素が前記記憶システムで利用可能であるかに関する情報を管理ファイル、システム・メモリ、または他の記憶域に格納するステップをさらに含む、付記１に記載の方法。
［付記３］
特定の処理タスクに必要な前記デジタル・コンテンツの全てのコンテンツ要素が、前記コンテンツ要素の処理開始前に前記記憶システムで利用可能であるかどうかをチェックするステップをさらに含む、付記１又は２に記載の方法。
［付記４］
前記コンテンツ要素の処理の結果を処理ワークフローの次段階に提供するステップをさらに含む、付記１乃至３のいずれかに記載の方法。
［付記５］
前記内部ファイル管理情報が１つまたは複数のインデックス・テーブルおよび／またはヘッダ情報を含む、付記１乃至４のいずれかに記載の方法。
［付記６］
前記コンテンツ要素がデジタル画像シーケンスのフレームである、付記１乃至５のいずれかに記載の方法。
［付記７］
前記コンテナ・ファイルが、ＭＸＦファイル、ＡＶＩファイル、およびＭＯＶファイルのうち１つである、先行付記のうち１つに記載の方法。
［付記８］
データ・リポジトリに格納されたデジタル・コンテンツを、関連する記憶システムを伴う１つまたは複数の処理ノードを用いて処理するための装置であって、前記デジタル・コンテンツが、コンテナ・ファイル・フォーマットに従う内部ファイル管理情報を備えるコンテナ・ファイルに配置され、前記装置が、
前記内部ファイル管理情報および前記デジタル・コンテンツのコンテンツ要素を前記データ・リポジトリから受信するための入力と、
前記デジタル・コンテンツのサイズのプレースホルダ・ファイルを前記記憶システムに生成し、受信した前記内部ファイル管理情報を、前記コンテナ・ファイル・フォーマットで指定された前記プレースホルダ・ファイル内部の位置に格納し、受信した前記コンテンツ要素を前記プレースホルダ・ファイル内部の夫々の指定位置に格納するための書込みエンジンと、
を備える、装置。
［付記９］
前記デジタル・コンテンツのどのコンテンツ要素が既に前記記憶システム上で利用可能であるかを追跡し、前記デジタル・コンテンツのどのコンテンツ要素が既に前記記憶システム上で利用可能であるかに関する情報を管理ファイルに格納するためのコンテンツ追跡器をさらに備える、付記８に記載の装置。
［付記１０］
前記内部ファイル管理情報が１つまたは複数のインデックス・テーブルおよび／またはヘッダ情報を含む、付記８又は９に記載の装置。
［付記１１］
前記コンテンツ要素がデジタル画像シーケンスのフレームである、付記８乃至１０のいずれかに記載の装置。
［付記１２］
前記コンテナ・ファイルが、ＭＸＦファイル、ＡＶＩファイル、およびＭＯＶファイルのうち１つである、付記８乃至１１のいずれかに記載の装置。